(57)【特許請求の範囲】
【請求項１】
キー入力部と、該キー入力部より入力された入力文字を保持する入力文字メモリと、該入力文字メモリに保持された入力文字を文字変換する文字変換部と、文字変換された確定文字を保持する確定文字メモリと、入力文字及び確定文字を表示する表示部と、文字数を検出する文字数検出部と、全体の制御を司る制御部とを備え、
前記制御部は、文字変換確定前の入力文字が前記表示部の表示余地領域からはみ出す数となったことを前記文字数検出部が検出したときは、前記キー入力部より入力された最後の文字を除く文字変換確定前の入力文字全てを移動表示させ、前記最後の文字を固定表示することを特徴とする文字表示装置。
【請求項２】
前記移動表示が、前記最後の文字を除く文字変換確定前の入力文字のスクロール表示であることを特徴とする請求項１に記載の文字表示装置。
【請求項３】
前記移動表示が、前記最後の文字を除く文字変換確定前の入力文字をブロック分けしたものの逐次表示であることを特徴とする請求項１に記載の文字表示装置。
【発明の詳細な説明】
【技術分野】
【０００１】
本発明はコンピュータ等の画面における文字表示装置に関する。
【背景技術】
【０００２】
パーソナルコンピュータや携帯電話など、表示画面を備えた情報機器を操作していると、画面内に設定された表示部に文字入力を求められる局面にしばしば遭遇する。通常、そのような表示部は表示可能な字数に限りがあり、制限字数を超えた数の文字は入力しても表示されないので、文字変換を行う前に入力文字の全体を確認しようと思ってもそれができない。その不便さを克服する方策として、特許文献１では、入力された全角文字を半角文字に変更し、表示できる字数を増やすといった手法や、入力された全角文字を間引表示することにより、制限を超える字数の全角文字の入力及び表示を可能とするといった手法が提案されている。
【特許文献１】特開平５−２９８２８６号公報（第３頁−第４頁、図１−図４）
【発明の開示】
【発明が解決しようとする課題】
【０００３】
特許文献１で提案された手法には、しかしながら、次のような欠点がある。まず全角文字を半角文字に変更して表示する手法であるが、これだと文字の見にくさが一挙に増し、確認間違いが多くなる。すなわち文字変換を行った場合、予想外の文字列に化ける確率が高まる。また表示領域が半角文字で埋め尽くされてしまったら、それ以上の文字は結局表示できない。入力された全角文字を間引表示する手法にあっては、どの文字が間引表示されたのかを忘れてしまうことがある。最初の方で入力した文字を思い出せないまま入力を続け、最後に全体を文字変換した場合、前後の脈絡のない、妙な文字列となりかねない。
【０００４】
本発明は上記問題点に鑑みなされたものであり、表示可能な字数に制限のある表示部に文字入力を行う場合、制限字数以上の文字を入力したとしても、文字変換の前に入力文字の全体を確認でき、意図通りの文字列に変換し確定することが可能な文字表示装置を提供することを目的とする。
【課題を解決するための手段】
【０００５】
（１）上記目的を達成するために本発明の文字表示装置は、キー入力部と、該キー入力部より入力された入力文字を保持する入力文字メモリと、該入力文字メモリに保持された入力文字を文字変換する文字変換部と、文字変換された確定文字を保持する確定文字メモリと、入力文字及び確定文字を表示する表示部と、文字数を検出する文字数検出部と、全体の制御を司る制御部とを備え、前記制御部は、文字変換確定前の入力文字が前記表示部の表示余地領域からはみ出す数となったことを前記文字数検出部が検出したときは、前記キー入力部より入力された最後の文字を除く文字変換確定前の入力文字全てを移動表示させ、前記最後の文字を固定表示することを特徴としている。
【０００６】
この構成によると、文字変換確定前の入力文字が表示余地領域からはみ出したときときは、最後の文字を除く文字変換確定前の入力文字全てが移動表示されるから、表示余地領域からのはみ出し部分も含め、文字変換前の入力文字の全体を最初から見直すことができる。このため、入力文字の中につじつまの合わない箇所があればそれを正してから文字変換を行うことができ、趣旨の一貫した、誤りのない文字列の作成が可能となる。また全角文字を半角文字に変更して表示する必要がないので、文字の確認間違いが少なく、予期せぬ文字化けの確率を低くできる。
【０００７】
（２）また本発明は、上記構成の文字表示装置において、前記移動表示が、前記最後の文字を除く文字変換確定前の入力文字のスクロール表示であることを特徴としている。
【０００８】
この構成によると、入力文字を１文字ずつ着実に確認することができる。
【０００９】
（３）また本発明は、上記構成の文字表示装置において、前記移動表示が、前記最後の文字を除く文字変換確定前の入力文字をブロック分けしたものの逐次表示であることを特徴としている。
【００１０】
この構成によると、入力文字をブロック単位で認識できるから、確認スピードが速い。
【発明の効果】
【００１１】
本発明によると、文字変換確定前の入力文字が表示余地領域からはみ出したとしても、最後の文字を除く文字変換確定前の入力文字全てが移動表示されるから、入力文字の中につじつまの合わない箇所があればそれを正し、趣旨の一貫した、誤りのない文字列を作成することができる。
【発明を実施するための最良の形態】
【００１２】
以下、本発明の第１実施形態を図１、２に基づき説明する。図１は文字表示装置のブロック構成図、図２は文字入力から文字変換及び確定に至る過程の説明図である。
【００１３】
文字表示装置１は全体の制御を司る制御部１０を有する。制御部１０は文字数検出部１１と計時部１２を含む。制御部１０はキー入力部１３に接続し、キー入力部１３は入力文字メモリ１４に接続し、入力文字メモリ１４は確定文字メモリ１５に接続する。入力文字メモリ１４と確定文字メモリ１５は表示メモリ１６に接続し、表示メモリ１６は液晶表示パネルのような表示手段１７に接続する。キー入力部１３は文字変換部１８にも接続し、文字変換部１８は入力文字メモリ１４に接続する。文字変換部１８には辞書メモリ１９が接続する。
【００１４】
文字表示装置１の動作の概略は次の通りである。キー入力部１３より文字を入力すると、入力された文字は入力文字メモリ１４に記憶される。入力された文字の数は文字数検出部１１によって計数され、また文字を入力する度に入力後の経過時間が計時部１２で計時される。
【００１５】
入力文字メモリ１４に記憶された入力文字は表示メモリ１６を経て表示手段１７の表示部に表示される。キー入力部１３より文字変換の指令を入力すると、文字変換部１８が辞書メモリ１９から文字変換候補を読み出す。読み出された文字変換候補は表示手段１７の表示部に表示される。文字変換候補の中に、入力者の意図に適うものがあれば、キー入力部１３を操作してその文字変換候補を確定する。確定した文字変換候補は確定文字メモリ１５に移り、確定文字として表示手段１７の表示部に表示される。
【００１６】
さて、表示手段１７の画面内に設定された表示部は入力文字、文字変換候補、及び確定文字を表示するものであるが、表示できる字数に制限がある。その制限字数を超えて入力したときの動作を図２に基づき説明する。
【００１７】
図２に示す表示部１７ａは、１０文字の表示が可能である。（ａ）の状態では１０文字分全体が表示余地領域となっており、ここに「とっとりさんようでん」の１０文字が入力されている。文字変換はまだ行われていなくて、カーソル２０は表示部１７ａの右端にある。ここで（ｂ）のように１文字「き」を追加すると、文字変換確定前の入力文字の総数が１１となり、最初に入力した「と」の字が表示部１７ａからはみ出す。
【００１８】
表示余地を超える文字が入力されたことを文字数検出部１１が検出すると、計時部１２が計時中の、最後の文字入力以来の経過時間がチェックされる。所定時間が経過すると、（ｃ）のように、カーソル位置にある「き」の文字はそのままにして、それより前に入力された「とっとりさんようでん」の１０文字が移動表示される。この場合は「とっとり」の最初の「と」を先頭とするスクロール表示であり、何らかのキー操作がなされるまで、繰り返しスクロールが行われる。この間に文字変換確定前の入力文字の全体像を確認することができる。
【００１９】
入力文字の全体像を確認し、今が文字変換のタイミングであると判断できたら、キー入力部１３で文字変換のキー操作を行い、意図通りの文字に変換されたら確定のキー操作を行う。（ｄ）では「鳥取三洋電機」の６文字の漢字が確定されている。残り４文字分のスペースが次の表示余地領域ということになる。
【００２０】
このように、文字変換確定前の入力文字が表示余地領域からはみ出したときは、最後の文字入力以来所定時間の経過を待って、つまり入力中に少し手が止まったようなタイミングで、文字変換確定前の入力文字全てが移動表示される。従って、表示余地領域からのはみ出し部分も含め、文字変換前の入力文字の全体を最初から見直し、入力文字の中につじつまの合わない箇所があればそれを正した後に文字変換を行うことができるから、趣旨の一貫した、誤りのない文字列を作成することができる。また文字の移動表示はスクロール表示であるため、入力文字を１文字ずつ着実に確認することができる。なおスクロールは最初に入力した文字から順に表示する方式に限定されない。直近に入力した文字から逆戻りでスクロールしてもよい。
【００２１】
次に、本発明の第２実施形態を図３に基づき説明する。図３は図２と同様の文字入力から文字変換及び確定に至る過程の説明図である。
【００２２】
第２実施形態が第１実施形態と異なる点は、表示余地を超える文字が入力されたことを文字数検出部１１が検出し、最後の文字入力以来所定時間が経過したことを計時部１２が計時した後の、文字の移動表示形態である。第１実施形態の場合、移動表示はスクロール表示であったが、第２実施形態では、入力文字をブロック分け、すなわち適当な字数のブロックに分割したものの逐次表示となっている。すなわち図３の（ｃ）に見られるように「とっとりさんよう」の８文字が第１ブロックとして表示される。所定時間第１ブロックが表示された後、（ｄ）に見られるように「でん」の２文字が第２ブロックとして表示される。第１ブロックの認識結果と第２ブロックの認識結果を統合することにより、文字変換確定前の入力文字の全体像の確認が可能となる。入力文字をブロック単位で認識できるので、確認スピードが速い。
【００２３】
以上、本発明の各実施形態につき説明したが、本発明の範囲はこれに限定されるものではなく、発明の主旨を逸脱しない範囲で種々の変更を加えて実施することができる。
【産業上の利用可能性】
【００２４】
本発明は、限られた数の文字しか表示できない表示部に文字入力を行う文字表示装置に広く利用可能である。
【図面の簡単な説明】
【００２５】
【図１】文字表示装置のブロック構成図
【図２】文字入力から文字変換及び確定に至る過程の説明図
【図３】第２実施形態に係る、文字入力から文字変換及び確定に至る過程の説明図
【符号の説明】
【００２６】
１    文字表示装置
１０  制御部
１１  文字数検出部
１２  計時部
１３  キー入力部
１７  表示手段
１７ａ  表示部
１８  文字変換部
【図１】
0004651465.tif 000002
【図２】
0004651465.tif 000003
【図３】
0004651465.tif 000004